(57)【要約】      （修正有）【課題】大きさの異なるラベルの連続的に発行ができるとともに剥離紙からラベルを剥がしやすいラベル用紙を提供する。【解決手段】  ラベル用紙１のラベル基材１０において、１０ａ部分の裏側は粘着剤層が無い領域に設定されている。ラベル基材１０に印刷データ２０を印刷後、オートカッタでＣ部を切断すると、１０ａの部分から容易にラベル基材１０を剥がすことができる。【選択図】    図１
2005326753.tif 000002
【特許請求の範囲】
【請求項１】
裏面に粘着剤が塗布されたラベル基材と、前記粘着剤の面に貼着される剥離紙とからなるロール状に巻かれたラベル用紙であって、
前記ラベル基材は、切断されずに長尺帯状に巻かれており、前記ラベル基材の左右端部の少なくとも一方に、所定の幅で、粘着力のない領域、若しくは、粘着力が弱く設定された非着領域を有し、前記ラベル基材は、前記剥離紙に重ねられていることを特徴とするラベル用紙。
【請求項２】
前記剥離紙の幅は、前記ラベル基材の幅より長く設定され、前記剥離紙は、前記ラベル基材の前記非着領域より、外側に突出し、前記ラベル基材と重ならないラベル無し部分を有することを特徴とする請求項１記載のラベル用紙。
【請求項３】
請求項２記載のラベル用紙を用い、前記剥離紙の前記ラベル無し部分に切り残しを設けて、前記ラベル用紙を切断するカッタ手段により、１枚ずつラベルを切断するラベル発行方法。
【発明の詳細な説明】
【技術分野】
【０００１】
本発明は、バーコードラベルプリンタ等に用いられるラベル用紙に関する。特に、予め定形サイズのラベルにダイカットされたラベルでは無く、ラベル部分がテープ状に連続して、剥離紙に貼り付けられて巻かれているラベル用紙（本文では全面ラベルと呼ぶ）に関する。
【背景技術】
【０００２】
ラベルプリンタに使用されるラベル用紙としては、特許文献１に示すようなダイカットラベルロール紙が一般的である。これは、印刷される領域が予め所定の大きさに区切られており、一旦、ラベルプリンタにラベル用紙をセットすると、定形ラベルのみの発行となる。よって、大きさの異なるラベルを発行する場合、都度、ラベル用紙を交換しなければならず、不便であり、異なるサイズのラベル用紙を在庫として保有しておく必要もあった。
【０００３】
そこで、型抜きされていない無地のラベル（全面ラベル）を用いて、作業者がカッタ等を用いて、都度、所定のサイズにラベルを切り取り、大きさの異なるラベルも発行できる方法が、特許文献２で提案されている。
【０００４】
【特許文献１】特開平８−２６７６１９号公報  図３
【特許文献２】特開平１１−１０５３５３号公報
【発明の開示】
【発明が解決しようとする課題】
【０００５】
しかし、前述した一般的なダイカットラベルを用いる従来のラベルプリンタでは、大きさの異なるラベルを連続的に発行することはできない。一方、全面ラベルを用いて、印刷後、ラベルの枠をカットする方法では、所定のサイズに切り取った後、剥離紙からラベルを剥がし難いという問題がある。
【０００６】
そこで、本発明は、このような従来の問題を解決するものであり、大きさの異なるラベルの連続的な発行ができ、且つ、ラベルを剥離紙から剥がしやすいラベル用紙を提供することを目的とする。またそのラベル用紙を用いたラベル発行方法を提供することを目的とする。
【課題を解決するための手段】
【０００７】
上記目的を達成する為に、本発明は、請求項１に記載のように、
裏面に粘着剤が塗布されたラベル基材と、前記粘着剤の面に貼着される剥離紙とからなるロール状に巻かれたラベル用紙であって、
前記ラベル基材は、切断されずに長尺帯状に巻かれており、前記ラベル基材の左右端部の少なくとも一方に、所定の幅で、粘着力のない領域、若しくは、粘着力が弱く設定された非着領域を有し、前記ラベル基材は、前記剥離紙に重ねられていることを特徴とする。
この構成により、ラベル基材の非着領域から剥がすことが容易になる。
更に、請求項２、および請求項３に記載のように、
前記剥離紙の幅は、前記ラベル基材の幅より長く設定され、前記剥離紙は、前記ラベル基材の前記非着領域より、外側に突出し、前記ラベル基材と重ならないラベル無し部分を有し、カッタ手段を用いて、ラベルを切断し、発行することを特徴とする。
この構成により、ラベル基材を完全に切断しても、剥離紙の部分に切り残しを設けることができる。
【発明の効果】
【０００８】
従来、任意の長さに変更できる全面ラベルを用いるラベル発行では、ラベル用紙を剥離紙と共にカットする場合、ラベルを剥離紙から剥がし難いという問題があった。しかし、本発明では、全面ラベルの粘着面の一部を非着領域とする構成により、全面ラベルでも、容易に剥離紙からラベルを剥がすことができる。
更に、本発明では、ラベルを完全に切断後も、剥離紙の一部に切り残しを設けることができるので、ラベルを剥がした後の剥離紙が、床等に散乱することを防止できる。
【発明を実施するための最良の形態】
【０００９】
以下、貼付図面に従って、本発明に係る実施の形態について説明する。
【００１０】
図１は、本発明に係るラベル用紙１の概略的な斜視図である。剥離紙１２にラベル用基材１０が貼り付けられ、ラベル用基材１０が外周になるようにロール状に巻かれている。ラベル用基材１０の裏面には粘着剤が塗布された粘着剤層１１があり、粘着剤層１１と剥離紙１２が貼り付けられている。この粘着剤層１１と接する剥離紙１２の表面には、離型剤が塗布されている（離型処理）。離型剤はシリコーン等の非粘着物質であり、粘着剤層１１の粘着力を低下させることなく、ラベル基材１０を剥離紙１２から剥離しやすくしている。
【００１１】
ラベル基材１０は、所定サイズで、型抜き（ダイカット）されたタイプではなく、切れ目なく、芯部１３まで帯状に連続して巻かれている。このようなラベルを全面ラベルと呼ぶ。全面ラベルはオートカッタ等により、任意の位置でカットすることで、サイズの異なるラベルを発行できる。ラベル基材１０の幅は剥離紙１２の幅より長さＤだけ短い幅に設定されている。このように、ラベル基材が一部除去されることを「カス取り」という。「カス取り」の目的はラベルを剥がしやすくすることにある。更に、ラベル基材１２のカス取り側の端部１０ａは粘着剤が塗布されていない部分になっている。
【００１２】
ラベル基材１０の表面には、図示しないプリンタにより印刷データ２０が印刷される。印刷後、ラベル高さＨの位置で、ラベル用紙１は矢印Ｃ方向からカットされ、物品に貼り付ける１枚のラベルとして発行される。
【００１３】
図２は、ラベル用紙１の断面図である。図２（ａ）に示すように１０ａ部の裏側の１０ｂ部には粘着剤層１１が無く、ラベル基材１０と剥離紙１２は貼り着いていない。よって、図２（ｂ）に示すように１０ａ部からラベル基材１０を剥がしやすい。
【００１４】
図３は、図示しないオートカッタにより、ラベル用紙１が切断され、ラベル片２が剥離紙１２から剥がされた状態を示す斜視図である。オートカッタによる切り口は１２ｃで示す。カス取りされた部分１２ａには切り残し部１２ｄがあり、剥離紙１２は完全に切り離されることなく、ラベル片２が除去された剥離紙部分１２ｂが残っている。これにより剥離紙が繋がっており、剥離紙のゴミが散乱することがない。
【００１５】
前述した実施例では、片側のみに「カス取り」を設け、剥離紙の片側に切り残しを入れて、ラベルを切断し、発行する方法を説明した。ハサミ式オートカッタでは、紙端から切断するので、切り残しは左右の一方になり、切り残し側に剥離紙が残るように「カス取り」を行えば良い。ギロチンタイプのオートカッタでは、刃の幅を紙幅より短くすれば、左右の両側に切り残しを設けることができるので、左右両方に「カス取り」をしても良い。この例を図４に基づき説明する。
【００１６】
図４は、第２の実施例のラベル用紙を示す斜視図である。第１の実施例と同様に、ラベル基材３０の一部３０ａの裏側には、粘着剤層３１が無く、剥離紙３２からラベル片４を剥がしやすくなっている。ギロチン刃８１の幅はラベル基材３０の幅より長く、剥離紙３２の幅より短く設定されており、ギロチン刃８１を移動させてラベル基材３０を切断すると、剥離紙３２の左右に切り残し３２ａ、３２ｂができる。左右に切り残しができた剥離紙３２は巻き取り軸８２により巻き取られる。このように、本発明のラベル用紙を用いて、左右に切り残しを設ける構成とすることで、剥がしやすい任意のサイズのラベルが発行できると共に、ラベル発行後の剥離紙を巻き取ることができ、剥離紙が邪魔にならない。
【００１７】
以上説明したとおり、本発明のラベル用紙では、ラベル基材の裏側の一部に粘着剤を塗布しないことで、粘着力の無い状態とし、ラベル基材を剥離紙から剥がしやすくしている。ラベル基材を剥がしやすくするために、必ずしも、初めから粘着剤を塗布しない方法以外に、一旦、粘着剤を塗布した後、剥がしやすくしたい領域に非粘着性剤等を塗布するなどして、粘着力を下げても良い。
ラベルは、粘着剤により、各種のラベルがある。機器の銘板のように、物品に永久的に貼りつけるタイプ（強粘着タイプ）や、頻繁に貼り替えをするタイプ（再剥離タイプ）等である。本発明のラベルは、ラベルの粘着面の一部が非着領域となっているので、再剥離タイプのラベルに、特に有効である。
前述したラベルの例では、非着領域は一定の幅で、長尺方向に連続しているタイプを説明したが、必ずしも、それに限定するものではなく、図５に示すように、長尺方向で、非着領域が連続して設けられていないラベルでも良い。この第３の実施例であるラベルロール紙４は、ラベル４０の左右に非着領域４０ａが断続的に設けられており、ラベル４０がめくれ難くなっている。オートカッタでカットする切断部分Ｃが、非着領域４０ａと重なるように設定すれば、剥離紙４２からラベル４０が剥がしやすいという効果は損なわれることはない。
【図面の簡単な説明】
【００１８】
【図１】本発明に係るラベル用紙の斜視図である。
【図２】本発明に係るラベル用紙の断面図である。
【図３】本発明に係るラベル用紙の斜視図であり、ラベル切断後の状態を示す。
【図４】本発明に係る第２実施例のラベル用紙を用いるラベル発行方法を示す斜視図である。
【図５】本発明に係る第３実施例のラベル用紙の斜視図である。
【符号の説明】
【００１９】
１       ラベル用紙
２       ラベル片
１０      ラベル基材
１１     粘着層
１２      剥離紙
２０      印刷データ
【図１】
2005326753.tif 000003
【図２】
2005326753.tif 000004
【図３】
2005326753.tif 000005
【図４】
2005326753.tif 000006
【図５】
2005326753.tif 000007